(57)【特許請求の範囲】
【請求項１】
一端に遮蔽部を設けられるロック殻であり、該遮蔽部が該工具に部材を組み合わせる調整可能なチャックに対応し、他端は、該遮蔽部を貫通する貫通孔を設け、該ロック殻は、該貫通孔の径方向箇所に複数の内凹溝を設け、該ロック殻周側に該貫通孔と連通する複数の回転輪溝を設けるロック殻と、
該ロック殻の貫通孔に貫通設置されるロックロッドであり、且つ該遮蔽部を通して貫通孔に設置され、且つ他端は、該工具に調整可能チャック内に挿入設置され、該遮蔽部により該工具の調整可能チャックを密閉し、該ロックロッド上に軸方向に間隔をおいて複数のロック溝を設置するロックロッドと、
複数のパスワード回転輪、複数のロック解除カバー及び貫通ロッドを含み、該貫通ロッドが軸方向に偏移可能に該ロック殻を貫通設置し、且つ該貫通ロッドは、該複数のパスワード回転輪及び該複数のロック解除カバーを貫通設置し、該複数のパスワード回転輪は、該回転輪溝溝口外に部分的に露出され、該複数のロック解除カバー周側にロック解除溝を設けるロック具と、
複数の位置限定部材及び複数の弾性部材を含む位置限定組であり、該位置限定部材は、該内凹溝で移動可能に収容され、該弾性部材の両端にそれぞれ内凹溝溝壁及び該位置限定部材に弾性的に係止し、該位置限定部材に該ロック解除カバー周側の押圧を受けさせ、該ロックロッドのロック溝内に係止させる位置限定組と、
を含み、該ロック解除カバーのロック解除溝が該位置限定部材と相互に位置合わせされていない時、弾性部材が自然に弾性的に該位置限定部材を係止し、該位置限定部材を該ロックロッドのロック溝内及び該ロック解除カバー周側に係止させ、ロック状態となり、該ロック解除カバーのロック溝及び該位置限定部材が相互に位置合わせされる時、該ロック殻を該ロックロッドに対し引き離すよう操作制御し、且つ過程において、該位置限定部材が該ロック解除溝方向に向けて移動して該ロック溝に持続的係止することがなく、該ロックロッド上から該ロック殻を外し、ロック解除状態とし、該工具の調整可能チャックから該ロックロッドを外し、該工具に操作使用を提供する工具ロック。
【請求項２】
前記遮蔽部は、中空ラッパ状を呈し、該ロックロッドの該遮蔽部に位置する一端にフック溝を環設し、更にフック環により該フック溝及び該遮蔽部内壁に嵌合する請求項１に記載の工具ロック。
【請求項３】
前記ロック殻は、外向きにブロックナットを延伸し、且つ該ブロックナットは、該工具のトリガ外側を密閉し、他人が該トリガを操作制御できないよう制限する請求項１又は請求項２に記載の工具ロック。
【請求項４】
前記ブロックナットは、該遮蔽部から一体に外向きに延伸設置されてなる請求項３に記載の工具ロック。
【請求項５】
前記位置限定部材は、それぞれ外向きに延伸する弾性係止部及び係止受け部を有し、該係止受け部は、該ロック解除カバー周側に対応し、該係止受け部の相反方向に外向きに延伸する位置限定部を有し、該位置限定部は、該ロックロッドのロック溝内に係止され、該ロック解除カバーのロック解除溝及び該係止受け部が相対する時、該係止受け部は、該ロック解除溝内まで移動することができ、該位置限定部は、該ロック溝から離脱する請求項１に記載の工具ロック。
【請求項６】
前記位置限定部材の弾性係止部は、該係止受け部方向へ延伸する凸柱を有し、該弾性部材の一端は、該凸柱上に被せ設けられる請求項５に記載の工具ロック。
【請求項７】
各前記パスワード回転輪周側に複数の定位溝を有し、更に、該貫通孔内に組み合わせる定位部材を有し、且つ該定位部材は、各該パスワード回転輪に対し、外向きに延伸する該弾性定位脚を有し、且つ各弾性定位脚は、各該パスワード回転輪の定位溝内に対応して弾性係止する請求項１に記載の工具ロック。
【請求項８】
各前記パスワード回転輪内に少なくとも１つの連動溝を設け、該ロック解除カバーは、該少なくとも１つの連動溝内に嵌合する少なくとも１つの連動柱を設け、該ロック解除カバーは、該パスワード回転輪側端に位置するロック解除盤を有し、該ロック解除溝は、該ロック解除盤周側に設置される請求項１に記載の工具ロック。
【請求項９】
前記貫通ロッドは、一端が該遮蔽部外側に貫通設置され、他端がリバウンド部材を被せ設け、且つ該リバウンド部材は、該ロック殻及び該ロック解除カバーの間に弾性係止される請求項１に記載の工具ロック。
【請求項１０】
一端に遮蔽部を設け、該遮蔽部が工具に部材を組み合わせる調整可能チャックに対応し、他端は、該遮蔽部まで貫通する貫通孔を設けるロック殻と、
該ロック殻の貫通孔に貫通設置されるロックロッドであり、且つ一端に該遮蔽部を通して貫通孔に設置され、且つ他端は、該工具の調整可能チャック内に挿入設置され、
該遮蔽部により該工具の調整可能チャックを密閉し、該ロックロッド上に軸方向に少なくとも１つのロック溝を設けるロックロッドと、
ロック体及び鍵を含み、該ロック体は、該ロック殻一側に取り付けられるロック具と、
該ロック体と連動して組み立てる振動ロッドを含み、該鍵は、該ロック体と回転させるよう挿入設置され、該ロック体に該振動ロッドを連動して該ロックロッドの該少なくとも１つのロック溝に嵌合又は離脱させる位置限定部材と、
を含む工具ロック。
【発明の詳細な説明】
【技術分野】
【０００１】
本発明は、ロック具の技術分野に関し、特に、工具類（電気ドリル等）のロック具に用い、ロック具がロック状態であれば、操作使用を提供することができず、工具を盗難防止する工具ロックに関する。
【背景技術】
【０００２】
回転式動力工具において、電気ドリルを例とし、電気ドリル一端は、調整可能チャックを有し、ドリルヘッドを固定することに用い、異なる類型、寸法に交換したいか、ドリルヘッドを収納したい時、調整可能チャック上から取り外して初めて交換又は収納することができる。操作者が使用を完了し、電気ドリルを工具箱に安置していないか、携帯して、施工環境に留めている場合、盗難の目標となり易い。但し、工具箱を使用し、電気ドリルを盗難から防護する場合、その効果は、相當限られている。不注意で施工現場に残せば、窃盗者が工具箱と共に盗難し、工具箱を破壊するだけで、工具箱内の電気ドリルを得ることができ、転売するか、私用するかに関わらず、電気ドリルは、同様に依然として操作使用されることが可能である。工具上にロック具を取り付ければ、全体の重量を増加させ、使用者が手持ちに労力を要することにある。
【０００３】
現在、市場において、良好な回転式動力工具の盗難防止に適用するロック具がなく、盗難防止の効果が限られており、これに鑑みて、本発明者は、工具ロックを開発し、電気ドリル未使用時に電気ドリルの調整可能チャックをロックし、電気ドリル調整可能チャックにドリルヘッドを組み合わせることができないようにし、窃盗者がロック状態の電気ドリルを窃盗することを防止し、窃盗したとしても機能を操作使用できなくし、それに盗難防止効果をもたせ、実用性が極めて良好な工具ロックとなっている。
【先行技術文献】
【特許文献】
【０００４】
【特許文献１】特開２００９−１３７４６８号公報
【発明の概要】
【発明が解決しようとする課題】
【０００５】
本発明の目的は、工具の未使用状態下で、工具ロックを工具上に組み合わせ、工具が機能を操作使用できないようにロックし、制限し、窃盗者の窃盗を効率的に阻害し、盗難防止の目的を達成する実用性に優れた工具ロックを提供することにある。
【課題を解決するための手段】
【０００６】
上記目的及び効果を達成する為、本発明の工具ロックは、
一端に遮蔽部を設けられるロック殻であり、該遮蔽部が該工具に部材を組み合わせる調整可能なチャックに対応し、他端は、該遮蔽部を貫通する貫通孔を設け、該ロック殻は、該貫通孔の径方向箇所に複数の内凹溝を設け、該ロック殻周側に該貫通孔と連通する複数の回転輪溝を設けるロック殻と、
該ロック殻の貫通孔に貫通設置されるロックロッドであり、且つ該遮蔽部を過ぎた貫通孔孔端に貫通設置され、且つ他端は、該工具に調整可能チャック内に挿入設置され、該遮蔽部により該工具の調整可能チャックを密閉し、該ロックロッド上に軸方向に間隔をおいて複数のロック溝を設置するロックロッドと、
複数のパスワード回転輪、複数のロック解除カバー及び貫通ロッドを含み、該貫通ロッドが軸方向に偏移可能に該ロック殻を貫通設置し、且つ該貫通ロッドは、該複数のパスワード回転輪及び該複数のロック解除カバーを貫通設置し、該複数のパスワード回転輪は、該回転輪溝溝口外に部分的に露出され、該複数のロック解除カバー周側にロック解除溝を設けるロック具と、
複数の位置限定部材及び複数の弾性部材を含む位置限定組であり、該位置限定部材は、該内凹溝に活動可能に収容され、該弾性部材の両端にそれぞれ内凹溝溝壁及び該位置限定部材に弾性的に係止し、該位置限定部材に該ロック解除カバー周側の押圧を受けさせ、該ロックロッドのロック溝内に係止させる位置限定組と、
を含み、該ロック解除カバーのロック解除溝が該位置限定部材と相互に位置合わせされていない時、弾性部材が自然に弾性的に該位置限定部材を係止し、該位置限定部材を該ロックロッドのロック溝内及び該ロック解除カバー周側に係止させ、ロック状態となり、該ロック解除カバーのロック溝及び該位置限定部材が相互に位置合わせされる時、該ロック殻を該ロックロッドに対し引き離すよう操作制御し、且つ過程において、該位置限定部材が該ロック解除溝方向に向けて移動して該ロック溝に持続的係止することがなく、該ロックロッド上から該ロック殻を除き、ロック解除状態とし、該工具の調整可能チャックから該ロックロッドを外し、該工具に操作使用を提供する。
【０００７】
本発明の工具ロックは、以下の技術特徴を含む。
1.該遮蔽部は、中空ラッパ状を呈し、該ロックロッドの該遮蔽部に位置する一端は、フック溝を環設し、フック環により該フック溝及び該遮蔽部内壁を嵌合する。
2．該ロック殻は、外向きにブロックナットを延伸し、且つ該ブロックナットは、該工具のトリガ外側を密閉し、他人が該トリガを操作制御できないよう制限し、該ブロックナットは、該遮蔽部から一体に外向きに延伸設置されてなる。
3．該位置限定部材は、それぞれ外向きに延伸する弾性係止部及び係止受け部を有し、該係止受け部は、該ロック解除カバー周側に対応し、該係止受け部の相反方向に外向きに延伸する位置限定部を有し、該位置限定部は、該ロックロッドのロック溝内に係止され、該ロック解除カバーのロック解除溝及び該係止受け部が相対する時、該係止受け部は、該ロック解除溝内まで移動することができ、該位置限定部は、該ロック溝から離脱する。
4．該位置限定部材の弾性係止部は、該係止受け部方向へ延伸する凸柱を有し、該弾性部材の一端は、該凸柱上に被せ設けられる。
5．各該パスワード回転輪周側に複数の定位溝を有し、更に、該貫通孔内に組み合わせる定位部材を有し、且つ該定位部材は、各該パスワード回転輪に対し、外向きに延伸する該弾性定位脚を有し、且つ各弾性定位脚は、各該パスワード回転輪の定位溝内に対応して弾性係止し、各該パスワード回転輪内に少なくとも１つの連動溝を設け、該ロック解除カバーは、該少なくとも１つの連動溝内に嵌合する少なくとも１つの連動柱を設け、該ロック解除カバーは、該パスワード回転輪側端に位置するロック解除盤を有し、該ロック解除溝は、該ロック解除盤周側に設置される。
6．該貫通ロッドは、一端が該遮蔽部外側に貫通設置され、他端がリバウンド部材を被せ設け、且つ該リバウンド部材は、該ロック殻及び該ロック解除カバーの間に弾性係止される。
【０００８】
本発明は、工具ロックを更に有し、それは、
一端に遮蔽部を設け、該遮蔽部が工具に部材を組み合わせる調整可能チャックに対応し、他端は、該遮蔽部まで貫通する貫通孔を設けるロック殻と、
該ロック殻の貫通孔に貫通設置されるロックロッドであり、且つ一端に該遮蔽部を過ぎる貫通孔孔端を貫通設置し、且つ他端は、工具の調整可能チャック内に挿入設置され、該遮蔽部により該工具の調整可能チャックを密閉し、該ロックロッド上に軸方向に少なくとも１つのロック溝を設けるロックロッドと、
ロック体及び鍵を含み、該ロック体は、該ロック殻一側に取り付けられるロック具と、
該ロック体と連動して組み立てる振動ロッドを含み、該鍵は、該ロック体と回転させるよう挿入設置され、該ロック体に該振動ロッドを連動して該ロックロッドの該少なくとも１つのロック溝に嵌合又は離脱させる位置限定部材と、
を含む。
【発明の効果】
【０００９】
本発明の工具ロックは、ロック殻、ロックロッド、ロック具及び位置限定組を含み、それが工具上に組み合わせられる時、工具が機能を操作使用できないようロック、制限し、他人が窃盗することを効率的に阻害し、盗難防止の目的を達成し、実用性が良好な工具ロックとなっている。
【図面の簡単な説明】
【００１０】
【図１】本発明の分解状態の立体説明図である。
【図２】本発明の半殻体の立体説明図である。
【図３】本発明の局部分解状態の立体説明図である。
【図４】本発明の組み合わせ状態の立体説明図である。
【図５】本発明の位置限定部材の係止ロックロッドの断面状態の説明図である。
【図６】本発明の位置限定部材がロック解除カバーに移動する断面状態説明図である。
【図７】本発明の局部組み合わせ状態側面説明図である。
【図８】本発明の局部組み合わせ状態の他側の側面説明図である。
【図９】本発明のロックロッドが工具調整可能チャックに挿入設置され、ロック殻がロックロッドに取り付けられる前の説明図である。
【図１０】本発明のロック殻がロックロッドに被さった断面説明図である。
【図１１】本発明の位置限定部材がロックロッドを係止するもう１つの断面状態の説明図である。
【図１２】本発明の使用状態説明図である。
【図１３】本発明の同時密閉調整可能チャック及びトリガを更に有する説明図である。
【図１４】本発明の定位部材がパスワード回転輪局部を定位する断面説明図である。
【図１５】本発明の定位部材がパスワード回転輪局部を定位する断面説明図である。
【図１６】本発明の第２実施例のアンロック状態の立体説明図である。
【図１７】本発明の第２実施例のロック状態の立体説明図である。
【発明を実施するための形態】
【００１１】
以下に好適な実施系を説明するが、本発明に対し如何なる形式上の制限を行うものでもなく、図１〜図８に示すように、本発明は、ロック殻２、ロックロッド３、ロック具４及び位置限定組５を含み、
該ロック殻２は、一端に遮蔽部２１を設け、該遮蔽部２１が工具１０に部材（ここで指す工具１０は、電気ドリルであり、部材は、ドリルヘッドである）を組み合わせる調整可能なチャック１１に対応し、他端は、該遮蔽部２１を貫通する貫通孔２２を設け、該ロック殻２は、該貫通孔２２の径方向箇所に複数の内凹溝２３を設け、該ロック殻２周側に該貫通孔２２と連通する複数の回転輪溝２４を設け、
該ロックロッド３は、該ロック殻２の貫通孔２２に貫通設置されるであり、且つ該遮蔽部２１を過ぎた貫通孔２２孔端に貫通設置され、且つ他端は、該工具１０に調整可能チャック１１内に挿入設置され、該遮蔽部２１により該工具１０の調整可能チャック１１を密閉し、該ロックロッド３上に軸方向に間隔をおいて複数のロック溝３１を設置し、
該ロック具４は、複数のパスワード回転輪４１、複数のロック解除カバー４２及び貫通ロッド４３を含み、該貫通ロッド４３が軸方向に偏移可能に該ロック殻２を貫通設置し、且つ該貫通ロッド４３は、該複数のパスワード回転輪４１及び複数のロック解除カバー４２を貫通設置し、該複数のパスワード回転輪４１は、該回転輪溝２４溝口外に部分的に露出され、該複数のロック解除カバー４２周側にロック解除溝４２１を設け、
該位置限定組５は、複数の位置限定部材５１及び複数の弾性部材５２を含み、該位置限定部材５１は、該内凹溝２３に活動可能に収容され、該弾性部材５２の両端にそれぞれ該内凹溝２３溝壁及び該位置限定部材５１に弾性的に係止し、該位置限定部材５１に該ロック解除カバー４２周側の押圧を受けさせ、該ロックロッド３のロック溝３１内に係止させる。
【００１２】
本発明の工具ロックの使用方式について、以下の説明を参照し、併せて図９〜図11を参照する。
ロック状態使用方式は、該工具１０を使用していない時、先ず、該ロックロッド３一端を該工具１０の調整可能チャック１１内に挿入設置し、該調整可能チャック１１によりロックロッド３一端を定位した後、更に、該ロック殻２により該ロックロッド３上を被せ（この時、該ロック解除カバー４２のロック解除溝４２１は、該位置限定部材５１と相互に位置合わせされる）、該ロック殻２が該ロックロッド３に被さる過程において、該ロックロッド３のロック溝３１溝壁が該位置限定部材５１を押し動かし、該ロック溝４２１まで移動させ、該位置限定部材５１がロック溝３１から離脱することができ、該ロック殻２が持続的に相対する該ロックロッド３に被さる時、該位置限定部材５１は、該弾性部材５２の弾性力の押圧を受けて次の隣り合う該ロック溝３１に入り、このように、該位置限定部材５１は、該ロック解除溝４２１及び該ロック溝３１の間の移動を繰り返し、該ロック殻２の遮蔽部２１が該工具１０の調整可能チャック１１を覆うまで繰り返し、最後に、該各パスワード回転輪４１を任意に回転させ、該パスワード回転輪４１に該ロック解除カバー４２を連動させ、該ロック解除溝４２１を該位置限定部材５１と相互に位置合わせされないようにし、該ロック解除カバー４２周側が該位置限定部材５１に押し付け、該ロックロッド３上の該ロック溝３１に係止させ、該ロック殻２を暫定的に該ロックロッド３上に固定させ、このようにして、ロック状態となる。該遮蔽部２１が該工具１０の調整可能チャック１１を密閉し、他人が調整可能チャック１１      を直接操作することができなくなる。
【００１３】
ロック解除状態の使用方式は、該パスワード回転輪４１を回転し、それに該ロック解除カバー４２を連動させ、該ロック解除カバー４２のロック解除溝４２１を該位置限定部材５１と互いに位置合わせさせ、該ロックロッド３上から該ロック殻２を引き離し、且つ該ロック殻２を引き離す過程において、該位置限定部材５１が該ロック溝３１及び該ロック溝４２１の間の移動を繰り返し、且つ過程において、該位置限定部材５１は、該ロック解除溝４２１方向へ偏移して、該ロック溝３１に持続的係止することがなく、該ロック殻２が該ロックロッド３上から完全に離脱するまで繰り返し、該工具１０の調整可能チャック１１から該ロックロッド３を取り外し、該工具１０の調整可能チャック１１に更に部材を挿入させ、操作使用させる。
【００１４】
本発明の該ロック解除カバー４２のロック解除溝４２１が該位置限定部材５１と互いに位置合わせされていない時、該弾性部材５２は、自然に該位置限定部材５１を弾性係止し、該ロック解除カバー４２周側が位置限定部材５１を押圧し、位置限定部材５１をロックロッド３のロック溝３１内に係止させ、ロック状態となる。該ロック解除カバー４２のロック解除溝４２１が該位置限定部材５１と互いに位置合わせされる時、使用者は、該ロック殻２を該ロックロッド３に対し引き離すよう操作でき、且つ過程において、該位置限定部材５１は、該ロック解除溝４２１方向へ移動して該ロック溝３１に持続的係止することがなく、該ロックロッド３上から該ロック殻２を取り外し、該工具１０の調整可能チャック１１から該ロックロッド３を取り外し、ロック解除状態となる。更に、該工具１０に部材（ドリルヘッド）を組み合わせて操作使用させ、本発明の工具ロックは、該工具１０上に確実に組み合わせることができ、該工具１０が機能を操作使用できないようロック、制限し、それに他人の窃盗を効率的に阻害し、盗難防止の目的達成させることができる。
【００１５】
本発明の工具ロックは、以下の技術特徴を含む。
１．該遮蔽部２１は、中空ラッパ状を呈し、該ロックロッド３が該遮蔽部２１の一端に位置し、フック溝３２を環設し、更にフック環３３により該フック溝３２及び遮蔽部２１内壁に嵌合する。
2．該ロック殻２は、外向きにブロックナット２５を延伸し、且つ該ブロックナット２５は、該工具１０のトリガ１２外側を密閉し、他人が直接該トリガ１２を操作制御できないよう制限し、該ブロックナット２５は、該遮蔽部２１から一体に外向きに延伸設置されてなり、図１３に示すようである。
3．該位置限定部材５１は、それぞれ外向きに延伸する弾性係止部５１１及び係止受け部５１２を有し、該係止受け部５１２は、該ロック解除カバー４２周側に対応し、該係止受け部５１２の相反方向に外向きに延伸する位置限定部５１３を有し、該位置限定部５１３は、該ロックロッド３のロック溝３１内に係止され、該ロック解除カバー４２のロック解除溝４２１及び該係止受け部５１２が相対する時、該係止受け部５１２は、該ロック解除溝４２１内まで移動することができ、該位置限定部５１３は、該ロック溝３１から離脱する。該位置限定部材５１の弾性係止部５１１は、該係止受け部５１２方向へ延伸する凸柱５１４を有し、該弾性部材５２の一端は、該凸柱５１４上に被せ設けられる。
4．図１、図１４、図１５を参照し、各該パスワード回転輪４１周側に複数の定位溝４１１を有し、更に、該貫通孔２２内に組み合わせる定位部材６を有し、且つ該定位部材６は、各該パスワード回転輪４１に対し、外向きに延伸する弾性定位脚６１を有し、且つ各該弾性定位脚６１は、各該パスワード回転輪４１の定位溝４１１内に対応して弾性係止し、このように該パスワード回転輪４１の回転後の定位効果を提供し、また、図１に示すように、各該パスワード回転輪４１内に少なくとも１つの連動溝４１２を設け、該ロック解除カバー４２は、該少なくとも１つの連動溝４１２内に嵌合する少なくとも１つの連動柱４２２を設け、該ロック解除カバー４２は、該パスワード回転輪４１側端に位置するロック解除盤４２３を有し、該ロック解除溝４２１は、該ロック解除盤４２３周側に設置される。
5．該貫通ロッド４３は、一端が該遮蔽部２１外側に貫通設置され、他端がリバウンド部材４４を被せ設け、且つ該リバウンド部材４４は、該ロック殻２及び該ロック解除カバー４２の間に弾性係止される。新たにパスワードを設定する時、先に各該ロック解除カバー４２のロック解除溝４２１を該位置限定部材５１の係止受け部５１２と相互に位置合わせる必要がなく、該貫通ロッド４３の該遮蔽部２１内に位置する一端を押圧した後、該パスワード回転輪４１を回転させ、新しいパスワードを設定し、新しいパスワードを設定した後に該ロックロッド４３を開放し、該リバウンド部材４４の自然弾性力によりリバウンドし、該貫通ロッド４３を元の位置に押し動かし、該ロック解除カバー４２の連動柱４２２を再度連動溝４１２に嵌合させ、即ち、工具ロックの新しいパスワードの設定を完成し、このように、使用者に毎回使用時に自身でパスワードを設定させるか、随時パスワードを交換させることができ、従って、窃盗者にパスワードを容易に解かれることがない。
6．該ロック殻２は、２つの互いに合わさる半殻体２０１，２０２が組み合さってなる。
【００１６】
図１６及び図１７を参照し、それは、本発明の工具ロックの第２実施例であり、ここでは、第１実施例の構造と異なる箇所のみを説明し、同一構造及び同一の使用方式は、再度記載せず、本発明の第２実施例の工具ロックは、
一端に遮蔽部２１を設け、該遮蔽部２１が工具１０に部材を組み合わせる調整可能チャック１１に対応し、他端は、該遮蔽部２１まで貫通する貫通孔２２を設けるロック殻２と、
該ロック殻２の貫通孔２２に貫通設置されるロックロッド３であり、且つ一端に該遮蔽部２１を過ぎる貫通孔２２孔端を貫通設置し、且つ他端は、該工具１０の調整可能チャック１１内に挿入設置され、該遮蔽部２１により該工具１０の調整可能チャック１１を密閉し、該ロックロッド３上に軸方向に少なくとも１つのロック溝３１を設置するロックロッド３と、
ロック体４５及び鍵４６を含み、該ロック体４５は、該ロック殻２一側に取り付けられ、且つ該ロック体４５一端にロック孔４５１を設け、該ロック殻２一側に露出するロック具４と、
ロック体４５と連動して組み立てる振動ロッド５３を含み、該鍵４６は、該ロック体４５のロック孔４５１と回転させるよう挿入設置され、該ロック体４５に該振動ロッド５３を連動して該ロックロッド３のロック溝３１に嵌合又は離脱させる位置限定部材５を含む。
【００１７】
上述の説明は、本発明の技術特徴を示す好適な実施形態を説明したものである。当業者は、本発明の主旨を逸脱しない範囲において変更および修飾を行うことができ、これらの変更および修飾は、本発明の特許請求の範囲に含まれる。
【符号の説明】
【００１８】
１０  工具
１１  調整可能チャック
１２  トリガ
２  ロック殻
２０１  半殻体
２０２  半殻体
２１  遮蔽部
２２  貫通孔
２３  内凹溝
２４  回転輪溝
２５  ブロックナット
３  ロックロッド
３１  ロック溝
３２  フック溝
３３  フック輪
４  ロック具
４１  パスワード回転輪
４１１  定位溝
４１２  連動溝
４２  ロック解除カバー
４３１  ロック解除溝
４２２  連動柱
４２３  ロック解除盤
４３  貫通ロッド
４４  リバウンド部材
４５  ロック体
４５１  ロック孔
４６  鍵
５  位置限定組
【図１】
0005587445.tif 000002
【図２】
0005587445.tif 000003
【図３】
0005587445.tif 000004
【図４】
0005587445.tif 000005
【図５】
0005587445.tif 000006
【図６】
0005587445.tif 000007
【図７】
0005587445.tif 000008
【図８】
0005587445.tif 000009
【図９】
0005587445.tif 000010
【図１０】
0005587445.tif 000011
【図１１】
0005587445.tif 000012
【図１２】
0005587445.tif 000013
【図１３】
0005587445.tif 000014
【図１４】
0005587445.tif 000015
【図１５】
0005587445.tif 000016
【図１６】
0005587445.tif 000017
【図１７】
0005587445.tif 000018